(57)【要約】【課題】敷物を袋状にして、複数のワイヤーを撚ったワイヤーロープにプラスチックやゴム等の軟質なカバー材で被覆加工を施したものをループ状に形成した形状維持材を装着して皺のよらないピンと張った敷物であり、洗濯時等には該形状維持材は容易に出し入れ可能である敷物を提供するする。【解決手段】  上記課題を解決するため、本発明は、周縁部が接合され少なくとも一部が開放状態の開口部（５）となった袋部を有する敷物本体（１）とその袋部内に、被覆加工したワイヤーロープをループ状にして装着することで皺のよらない状態で敷物が常に使用できるようになった。該形状維持材は敷物本体（１）の開口部（５）から簡単に出し入れが可能であるため、該形状維持材を抜き取った敷物は柔らかく他の衣類と一緒に簡単に洗濯ができるためいつも清潔な敷物を提供できる。【選択図】図１
2009006097.tif 000002
【特許請求の範囲】
【請求項１】
周縁部が接合され少なくとも一部が開放状態の開口部となった袋状の敷物本体と、複数のワイヤーを撚ったワイヤーロープにプラスチックやゴム等の軟質なカバー材で被覆加工を施したものをループ状に形成し、前記敷物本体の開口部から出し入れ可能な形状維持材とよりなり、該形状維持材は可撓性を有するとともにループ形状に反発する反発力を有し前記敷物本体の袋部に挿入した状態で敷物本体を張った状態に形状を維持するものであることを特徴とする形状維持機能付敷物。
【請求項２】
敷物本体がそれぞれに開口部を有する複数の袋状部を有するものであり、それぞれの袋状部に対応した形状維持材を具備するものであることを特徴とする請求項１記載の形状維持機能付敷物。
【発明の詳細な説明】
【技術分野】
【０００１】  この発明は、形状安定機能を有し、かつ、洗濯が容易にできる敷物に関するものである。
【背景技術】
【０００２】  従来の敷物、例えばバス・キッチンマット等はタオルなどの柔らかい素材からできている柔らかいものから、糸をきつく織る、固めの糸で織る、裏面に樹脂加工をほどこすなどして固めのものまでいろいろあった。
【発明の開示】
【発明が解決しようとする課題】
【０００３】これらは次のような欠点があった。
▲１▼柔らかい素材でできたマットは使用中、折れ曲がりや皺が出来やすく、見た目に悪いのみならず、足をひっかける危険性があった。
▲２▼固めのマットは折れ曲がりや皺の問題が解決しても、洗濯機に入れて他の柔らかい衣服と一緒に洗う事ができなく、個別に手洗いが必要で面倒なため自然に洗う回数が減り清潔が保てない傾向にあった。まれに、洗濯機で洗うことが可能と記載があった場合でも、マット類のみで水を多めに入れて洗わなければならなく時間・水・洗剤をともに多く必要とした。
▲３▼糸をきつく織ってある、固めの糸で織ってあるマットでも、柔らかい素材でできたマットよりは形が整ってはいるが、それでもしばしば折れ曲がりや、でこぼこした状態になってしまった。
本発明はこれらの欠点を除くためになされたものである。
【課題を解決するための手段】
【０００４】  上記欠点を除く為、本発明は、周縁部が接合された少なくても一部が開放状態の開口部となった袋部を有する敷物本体と、前記袋部に対応した大きさとなるようにワイヤーロープにカバー材を被覆させた状態でループ状にした形状維持材とよりなる。
【発明の効果】
【０００５】  該形状維持材を装着した敷物はいつもピンと伸びた状態を維持し、安全に利用することができる。
敷物を洗いたいとき該形状維持材を抜き取り、ザブザブ、ゴシゴシ手洗いが可能であるし、他の洗濯物と一緒に洗濯機で洗うことも可能であるため気軽に度々洗濯ができ清潔を保てる。
従来の硬い敷物を洗濯する場合と比較すると、時間と洗剤と水の節約になる。
敷物の素材は、従来のものより薄手又は安価な素材で充分快適なマットができるため安いコストでも快適敷物ができる可能性がある。
複数のワイヤーを撚ったワイヤーロープにプラスチックやゴム等の軟質なカバー材で被覆加工を施したものをループ状に形成し、前記敷物本体の開口部から出し入れ可能な形状維持材を利用することによりワイヤーの錆を防ぐことができる。あわせて、撚った複数のワイヤーからなっているため、曲げた状態から戻る際に勢いを消し柔らかく戻るために、跳ね返りにより怪我をする危険性を解除した。
【発明を実施するための最良の形態】
【０００６】  本発明は図１、図２に示すように敷物本体１と形状維持材２とより構成されている。
敷物本体１は、同形状の生地３を上下に重ね合わせ、周縁部を縫合部４にて縫合し袋状としている。生地３は、タオル布などのように柔らかく吸水性のあるものであることが望ましい。縫合部４は一部で上下生地３が開口部５を形成するように非縫合状態となっている。
敷物本体１の形状は四角形状であってもよいが、図１に示すように略楕円形状や四角の角が丸くなったものであることが好ましい。
形状維持材２は、ワイヤーロープ６に軟性プラスチックやゴム等の軟質なカバー材７で被覆加工を施したものの両端部を接続管８でかしめて図４に示すようにループ状にしたものである。接続手段に関しては、接続管に限定されるものではなく、使用に耐えられる接続手段であればよい。ワイヤーロープ６は、図３に示すように太さや何本の細いワイヤーで編みこまれているかなどによって、反発力やしなやかさに違いが出てくるが、本発明においては可撓性を有するとともにループ形状に反発する反発力を有するものをもちいる。この際、反発力としては、広がった状態で形状を維持するとともに、反発の勢いを緩やかにすることで、反発力で怪我などがないようになったものであることが好ましい。また、形状維持材２の大きさとしては、敷物本体１に挿入した状態で敷物本体１を平面性を保持するように張った状態に形状を維持するものである。
実験においては、縁回り約１５０センチから約２００センチの大きさの敷物本体１に対し、細いワイヤー７本束ねたもの７束を使用した合計４９本が撚ってあり、直径３ミリ位のワイヤーロープ６が反発力としなやかさが調度よい具合であった。
形状維持材として、１本のワイヤーからなるループでなく、複数のワイヤーからなるワイヤーロープにした理由は１本のワイヤーの場合、ワイヤーロープより細くても反発力が強いという利点があるが、ループ出し入れの際、はじけて目や顔にあたり怪我をする危険があった。ワイヤーロープは、急激な動きではなくゆっくりもとの形に戻ろうとするしなやかさがあり怪我をする危険がない。
これを基準に、敷物本体１の大きさがそれ以上になった場合、反発力がもっと必要となるため、ワイヤーロープが同じ直径３ミリ仕上げでも反発力を強くするために４９本からなるワイヤーロープよりも本数の少ない例えば１９本のワイヤーからなるワイヤーロープ  にすることが好ましい。
また、ワイヤーロープ６に軟性プラスチックやゴム等の軟質なカバー材７で被覆加工を施すことにより、緩衝性、耐食性、耐海水性となる。これにより、ワイヤーロープ６が錆付かなくなるとともに、ワイヤーロープ６の耐久性を向上させることができる。また、素足で踏んだとき冷たい感触となることを防ぐことができる。
本発明は以上の構成よりなる。
これを使用するときは、図２に示すように敷物本体１の開口部５から形状維持材２を挿入する。この際、形状維持材２は可撓性があるために開口部５に合わせて狭めた形状にして挿入でき、敷物本体１に挿入されることにより反発力により敷物本体１を平面性を保持するように張った状態に形状を維持する。
これを脱衣所、洗面所、台所などの床に敷いて使用する。この際、足で踏んだ場合に形状維持材２の反発により歪みを解消する効力を得る。歪んだ場合であっても、形状維持材２の反発により歪みのない平面状態に戻る。
形状維持材２はワイヤーロープ６にカバー材７で被覆しているために、水で錆付くことはなく、敷物本体１を錆汚れさせることがない。また、脱衣所などで素足で踏んでも、カバー材７があることでワイヤーロープの冷たさを伝達せず快適に使用できる。
敷物本体１を洗濯したい場合は、形状維持材２を抜き取り洗濯機で洗濯する。敷物本体は柔らかい生地よりなっているので、嵩張ることなく他の洗濯物と一緒に簡単に洗濯ができる。
形状維持材２を抜き取ることにより、収納や持ち運びも簡単になる。
本発明の敷物は、大きさを変えることでバス・キッチンマットなどの他、小さなコップ用コースター・清潔を保ちたい赤ちゃんの昼寝用マット・汚れ、においが気になるペット用マットなど広く応用できる。
敷物の種類によっては、例えば被覆部分を噛んで遊んだりする噛み癖のあるペットには、被覆加工なしのステンレス製ワイヤーロープなどを使用することも可能である。【０００７】  その他の実施形態として、図５に示すように敷物本体１をそれぞれ開口部を形成するように複数の袋部にするものがあげられる。形状が大きくなった場合や細長くなった場合、形状維持材２の効力が薄れる可能性があるが、袋部を複数にし、それぞれに形状維持材を利用することでこれを解決することができる。
【図面の簡単な説明】
【０００８】
【図１】本発明の斜視図
【図２】本発明の使用説明図
【図３】本発明の形状維持材の要部断面図
【図４】本発明の形状維持材を示す斜視図
【図５】本発明の他の実施形態を示す斜視図
【符号の説明】
【０００９】      １  敷物本体
２  形状維持材
３  生地
４  縫合部
５  開口部
６  ワイヤーロープ
７  カバー材
８  接続管
【図１】
2009006097.tif 000003
【図２】
2009006097.tif 000004
【図３】
2009006097.tif 000005
【図４】
2009006097.tif 000006
【図５】
2009006097.tif 000007